(57)【要約】【課題】  本発明は、成形が簡単で、硬貨を収納し易くかつ取り出し易くする小銭入れを提供することにある。【解決手段】  一枚のシートを裁断して成形される小銭入れであって、前面板６と背面板３と底面板４と一対の側面板５とから構成される箱形状で、背面板３の上端に前面板６を覆うカバー板２を連設すると共に、両側面板５と底面板４とを、周方向に沿って連続する蛇腹折りとしたことを特徴とする構成で、カバー板２を開いて蛇腹折り部分を伸ばすことにより箱形状の上端が大きく開口して硬貨の出し入れが極めて容易になり、蛇腹折り部分を縮めることによりカバー板２を確実に閉じることができる。【選択図】        図１
2019080638.tif 000002
【特許請求の範囲】
【請求項１】
一枚のシートを裁断して成形される小銭入れであって、前面板（６）と背面板（３）と底面板（４）と一対の側面板（５）とから構成される箱形状で、前記背面板（３）の上端に前記前面板（６）を覆うカバー板（２）を連設すると共に、前記両側面板（５）と底面板（４）とを、周方向に沿って連続する蛇腹折りとしたことを特徴とする小銭入れ。
【発明の詳細な説明】
【技術分野】
【０００１】
本発明は、硬貨の出し入れが容易な小銭入れに関するものである。
【背景技術】
【０００２】
支払いを円滑にするため硬貨の或る程度の量を保持しておくことは便利であるが、多すぎるとかえって負担であり、そのため紙幣を入れる財布とは別に或いは一体に小銭入れを携帯することが通常から行われている。
【０００３】
しかしながら小銭入れ内の硬貨は多種類が混ざり合っているので探しての取出しに手間がかかり、使い勝手の悪いものであった。そこでこの点に関し、小銭入れについて以下のような先行技術が開示されている。
【先行技術文献】
【特許文献】
【０００４】
【特許文献１】実用新案公開平５-２０６１５号公報
【特許文献２】特許公開２００２-９５５１１号公報
【発明の概要】
【発明が解決しようとする課題】
【０００５】
これらの考案・発明は、内部を仕切り壁で区画し、各仕切り壁内に硬貨の種類ごとに収納させようとする構成である。
【０００６】
しかしながら、釣銭を受け取ってその場で各種の硬貨を夫々の仕切り壁間の空間に入れる作業は手間がかかり、その場での迷惑にもなることであり、結局は各種硬貨が混在してしまうことになってしまっていた。また、上記文献では、硬貨を取り出し易くするために底辺を中心にして側壁を蛇腹形状とし、扇状に上部を開口できる構成としている。処が底辺近くでは扇形状がすぼまっているため、下方に位置する硬貨は仕切り壁に挟まってしまうことになり、取り出し易いとは言えないものであった。
また、仕切り壁を別途接着したり縫合したりする点で、製造にも手間のかかるものである。
【０００７】
よって本発明は、上述した従来技術の欠点、不都合、不満を解消するべく発明されたものであって、成形が簡単で、硬貨を収納し易くかつ取り出し易くする小銭入れを提供することにある。
【課題を解決するための手段】
【０００８】
上記課題を解決するため、本発明の小銭入れは、一枚のシートを裁断して成形される小銭入れであって、前面板と背面板と底面板と一対の側面板とから構成される箱形状で、前記した背面板の上端に前記した前面板を覆うカバー板を連設すると共に、前記した両側面板と底面板とを、周方向に沿って連続する蛇腹折りとしたことを特徴とする構成である。
【発明の効果】
【０００９】
従って本発明の小銭入れは、前面板と背面板と底面板と一対の側面板とから構成される箱形状で、しかも両側面板と底面板とを周方向に沿って連続する蛇腹折りとした構成であるので、蛇腹折り部分を伸ばした状態では上端が大きく矩形に開口し、しかも下方がすぼまることもないので、硬貨の出し入れが極めて容易に達成でき、内部の各硬貨は混在してはいるものの、上方から簡単に見分けることができる。
【００１０】
また、蛇腹折り部分を折り曲げればコンパクトに折り畳むことができ、カバー板で前面板を覆えば上端の開口を確実に閉じることができる。
【００１１】
そして、前面板と背面板と底面板と一対の側面板とカバー板とは一枚のシートを裁断して成形されるので、接着或いは縫合箇所は最低限で済み、極めて成形が容易である等、本発明は多くの優れた作用効果を奏する。
【図面の簡単な説明】
【００１２】
【図１】本発明のかかる小銭入れを開口した状態を示す斜視図である。
【図２】図１の部分切欠き断面図である。
【図３】（ａ）は底面方向から見た開口状態の斜視図、（ｂ）は底面方向から見た閉口状態の斜視図である。
【図４】（ａ）はカバー板を切欠いた開口状態の正面図、（ｂ）はカバー板を切欠いた開口状態の平面図である。
【図５】（ａ）は開口状態の側面図、（ｂ）は閉口状態の側面図である。
【図６】組み立て前の縮小展開図である。
【発明を実施するための形態】
【００１３】
本発明の小銭入れは、一枚のシート材１に、カバー板２の一端に背面板３を連続させ、この背面板３の他端に底面板４を連続させ、この底面板４の両端に夫々側面板５を連続させ、前記した底面板４の他端に前面板６を連続させる一体配置で、裁断して成形される。
【００１４】
背面板３と底面板４、及び背面板３と前面板６との間は直線の谷折れ線７、底面板４両側での側面板５との間はジグザグ線の谷折れ線８で折り曲げて、夫々が直角に連続する、
背面板３一方側端の側端部３ａと一方の側面板５の一方側端の側端部５ａ、
背面板３他方側端の側端部３ｂと他方の側面板５の一方側端の側端部５ｂ、
前面板６一方側端の側端部６ｃと一方の側面板５の他方側端の側端部５ｃ、
前面板６他方側端の側端部６ｄと他方の側面板５の他方側端の側端部５ｄ、
の夫々を縫合或いは接着して、箱形状に組み立てて、小銭入れ９として構成する。
【００１５】
また、底面板４には、両側面板５との間の連接線であるジグザグ線の谷折れ線８の屈曲ピッチに対応して谷折れ線１０と山折れ線１１とが平行に等間隔で交互に形成され、両側面板５では、この谷折れ線１０を延長する形態で山折れ線１２、山折れ線１１を延長する形態で谷折れ線１３を形成する。従って、上記のように小銭入れ９として箱形状に組み立てると、両側面板５と底面板４とに周方向に沿って連続する蛇腹折りが形成されるのである。
【実施例】
【００１６】
シート材１は、小銭入れ９として組み立てた際に自己形状維持を確保するため比較的肉厚であり、或る程度の可撓性を有し、材料としては例えば革靴等を成形する際の皮革が加工細工性の良い点で適している。但し、同様の効果が得られる限り、所定の合成樹脂材料を使用しても良い。
【００１７】
前面板６下部外面には凹型スナップボタン１４、カバー板２の下部内面にはこの凹型スナップボタン１４に嵌合する凸型スナップボタン１５が設けられており、閉口状態を維持することができるようになっている。
【符号の説明】
【００１８】
１  シート材
２  カバー板
３  背面板
４  底面板
５  側面板
６  前面板
７  直線の谷折れ線７
８  ジグザグ線の谷折れ線
９  小銭入れ
１０  谷折れ線
１１  山折れ線
１２  山折れ線
１３  谷折れ線
１４  凹型スナップボタン
１５  凸型スナップボタン
【図１】
2019080638.tif 000003
【図２】
2019080638.tif 000004
【図３】
2019080638.tif 000005
【図４】
2019080638.tif 000006
【図５】
2019080638.tif 000007
【図６】
2019080638.tif 000008